(57)【特許請求の範囲】
【請求項１】
建物を構成する壁体に設けられた構造物の露出面に対向して配置されるカバー部材と、
前記カバー部材の少なくとも一端と連結され、前記カバー部材に対して所定方向に回動自在な回動部材と、を備え、
前記回動部材は、外部からの作用を受けて前記構造物に接近する方向に回動することで、前記壁体と前記カバー部材との間に形成された隙間の少なくとも一部を塞ぎ、
前記カバー部材を前記構造物に対して位置決めする位置決め手段をさらに備え、
前記位置決め手段は、
前記構造物よりも前側の位置にそれぞれ設けられ、前記カバー部材の両側の端部が挿入されて前記カバー部材を所定方向にガイドするためのガイド溝が形成された一対のガイド部と、
前記一対のガイド部によりガイドされた前記カバー部材を下受けする下受け部と、を備え、
前記位置決め手段によって前記カバー部材が位置決めされた状態において、前記カバー部材と前記回動部材とを連結する連結部は、前記下受け部を越えた位置にある、構造物の保護具。
【請求項２】
建物を構成する壁体に設けられた構造物の露出面に対向して配置されるカバー部材と、
前記カバー部材の少なくとも一端と連結され、前記カバー部材に対して所定方向に回動自在な回動部材と、を備え、
前記回動部材は、外部からの作用を受けて前記構造物に接近する方向に回動することで、前記壁体と前記カバー部材との間に形成された隙間の少なくとも一部を塞ぎ、
前記回動部材は、前記カバー部材を切り欠くことで形成される、構造物の保護具。
【請求項３】
建物を構成する壁体に設けられた構造物の露出面に対向して配置されるカバー部材と、
前記カバー部材の少なくとも一端と連結され、前記カバー部材に対して所定方向に回動自在な回動部材と、を備え、
前記回動部材は、外部からの作用を受けて前記構造物に接近する方向に回動することで、前記壁体と前記カバー部材との間に形成された隙間の少なくとも一部を塞ぎ、
前記カバー部材は、端部の位置よりも中央部の位置が前記壁体から離れる形状を有する、構造物の保護具。
【請求項４】
前記構造物は窓である、請求項１乃至３の何れかに記載の構造物の保護具。
【発明の詳細な説明】
【技術分野】
【０００１】
本発明は、建物を構成する壁体に設けられた窓などの構造物の保護具に関する。
【背景技術】
【０００２】
例えば台風をはじめとする暴風の発生時において、建物の外壁に取り付けられた窓の破損を防止する保護具として、窓シャッターが広く一般に知られている（例えば特許文献１）。特許文献１には、建物の外壁に取り付けられ、シャッターケース内の巻取部で、ガイドレールに沿って移動自在なシャッターカーテンを巻き取り、繰り出しする構造の窓シャッターが開示されている。
【先行技術文献】
【特許文献】
【０００３】
【特許文献１】特許第５９０５８４２号公報
【発明の概要】
【発明が解決しようとする課題】
【０００４】
特許文献１をはじめとする従来技術は、所定以上のサイズを有する大型の窓を想定して創作されている。ところで、建物の外壁から露出する構造物は大型の窓に限られず、例えば洗面室やトイレ室に備えられたサイズの小さい窓や、換気扇も存在する。しかしながら、サイズの小さい構造物に対して上述した窓シャッターの構造を適用することは、コスト面を含めて現実的でなく、簡易な構成で小さなサイズの構造物を暴風などの自然災害から保護する技術が望まれていた。
【０００５】
そこで本発明は、簡易な構成で小さなサイズの構造物を暴風などの自然災害から保護することができる構造物の保護具を提供することを目的とする。
【課題を解決するための手段】
【０００６】
本発明の構造物の保護具は、建物を構成する壁体に設けられた構造物の露出面に対向して配置されるカバー部材と、前記カバー部材の少なくとも一端と連結され、前記カバー部材に対して所定方向に回動自在な回動部材と、を備え、前記回動部材は、外部からの作用を受けて前記構造物に接近する方向に回動することで、前記壁体と前記カバー部材との間に形成された隙間の少なくとも一部を塞ぎ、前記カバー部材を前記構造物に対して位置決めする位置決め手段をさらに備え、前記位置決め手段は、前記構造物よりも前側の位置にそれぞれ設けられ、前記カバー部材の両側の端部が挿入されて前記カバー部材を所定方向にガイドするためのガイド溝が形成された一対のガイド部と、前記一対のガイド部によりガイドされた前記カバー部材を下受けする下受け部と、を備え、前記位置決め手段によって前記カバー部材が位置決めされた状態において、前記カバー部材と前記回動部材とを連結する連結部は、前記下受け部を越えた位置にある。
また、本発明の構造物の保護具は、建物を構成する壁体に設けられた構造物の露出面に対向して配置されるカバー部材と、前記カバー部材の少なくとも一端と連結され、前記カバー部材に対して所定方向に回動自在な回動部材と、を備え、前記回動部材は、外部からの作用を受けて前記構造物に接近する方向に回動することで、前記壁体と前記カバー部材との間に形成された隙間の少なくとも一部を塞ぎ、前記回動部材は、前記カバー部材を切り欠くことで形成される。
また、本発明の構造物の保護具は、建物を構成する壁体に設けられた構造物の露出面に対向して配置されるカバー部材と、前記カバー部材の少なくとも一端と連結され、前記カバー部材に対して所定方向に回動自在な回動部材と、を備え、前記回動部材は、外部からの作用を受けて前記構造物に接近する方向に回動することで、前記壁体と前記カバー部材との間に形成された隙間の少なくとも一部を塞ぎ、前記カバー部材は、端部の位置よりも中央部の位置が前記壁体から離れる形状を有する。
【発明の効果】
【０００７】
本発明によれば、簡易な構成で小さなサイズの構造物を暴風などの自然災害から保護することができる。
【図面の簡単な説明】
【０００８】
【図１】本発明の一実施の形態における構造物の保護具を備えた建物の模式的な斜視図
【図２】本発明の一実施の形態における構造物の保護具の（ａ）平面図（ｂ）正面図
【図３】本発明の一実施の形態における構造物の保護具が備える（ａ）カバー部材の背面図（ｂ）回動部材の構造説明図
【図４】本発明の一実施の形態における構造物の保護具が備える（ａ）ガイド部の構造説明図（ｂ）ガイド部の機能説明図
【図５】（ａ）（ｂ）本発明の一実施の形態における構造物の保護具の機能を説明する図
【図６】本発明の一実施の形態における構造物の保護具が備える（ａ）回動部材の第２の実施例の説明図（ｂ）回動部材の第３の実施例の説明図
【図７】本発明の一実施の形態における構造物の保護具が備えるカバー部材の第２の実施例の（ａ）平面図（ｂ）正面図
【図８】本発明の一実施の形態における構造物の保護具が備えるカバー部材の第３の実施例の（ａ）平面図（ｂ）正面図
【発明を実施するための形態】
【０００９】
図面を参照して、本発明の一実施の形態について説明する。本発明の一実施の形態における構造物の保護具（以下、単に「保護具」と称する。）は、建物を構成する壁体に設けられた採光や換気を目的とする小窓や換気扇などの比較的小さな構造物を強風などから保護するためのものである。
【００１０】
図１には、外壁２（壁体）に設置された３つの小窓ＳＷ１〜ＳＷ３の一部に保護具ＰＥを設置した家１（建物）の例を示している。家１の他の外壁３には、人が出入り可能な２つの大窓ＬＷ１〜ＬＷ２が設置されている。大窓ＬＷ１〜ＬＷ２には、シャッターケース５に巻回して収納されているシャッターカーテン６を引き出して大窓ＬＷ１〜ＬＷ２のガラス７（露出面）を強風などから保護する窓シャッター４が設置されている。大窓ＬＷ１の窓シャッター４は閉じた状態を、大窓ＬＷ２の窓シャッター４は開けた状態を示している。
【００１１】
小窓ＳＷ１〜ＳＷ２には、小窓ＳＷ１〜ＳＷ２のガラス８（露出面）に対向して配置される、透明なアクリル板などで形成されたカバー部材１１によってガラス８を強風などから保護する保護具ＰＥが設置されている。保護具ＰＥは、小窓ＳＷ１〜ＳＷ２を挟んで外壁２に固定された一対の保持部１２と、一対の保持部１２に保持されてガラス８の前側に位置決めされるカバー部材１１を備えて構成されている。
【００１２】
小窓ＳＷ１の保護具ＰＥは、一対の保持部１２にカバー部材１１が取り付けられた状態を示している。小窓ＳＷ２の保護具ＰＥは、一対の保持部１２にカバー部材１１が取り付けられる前の状態を示している。この例では、カバー部材１１は、上方から一対の保持部１２に装着される（矢印ａ）。なお、小窓ＳＷ３には、保護具ＰＥは設置されていない。保護具ＰＥによって保護される小窓ＳＷ１〜ＳＷ３のサイズは、例えば幅が４００ｍｍ、高さが７００ｍｍ程度である。また、カバー部材１１は、薄い金属板で形成してもよい。
【００１３】
次に図２〜図４を参照して、保護具ＰＥの詳細な構成について説明する。保護具ＰＥは、一対の保持部１２に保持されるカバー部材１１を備えて構成されている。図４（ａ）において、保持部１２は、家１（建物）を構成する外壁２（壁体）に固定される上下方向に伸びる平板状のベース部１３と、ベース部１３が外壁２に固定された状態でベース部１３から前方に突出して上下方向に伸びるアーム部１４と、アーム部１４のベース部１３側とは反対側（外壁２から離れる側）の端部に配置されたガイド部１５を備えて構成されている。
【００１４】
図４（ａ）において、ベース部１３は、接着剤Ｇやビス１６によって外壁２の所定の位置に固定される（図２（ｂ）も参照）。一対の保持部１２に形成された一対のガイド部１５には、一対のガイド部１５が相互に対向する面に開口するガイド溝１５ａが、それぞれ形成されている。ガイド溝１５ａは、ガイド部１５の上端にも開口しており、ガイド部１５の下端は下受け部１７（図２（ｂ）参照）によって閉じられている。ガイド溝１５ａの少なくとも一部には、ガイド溝１５ａの内壁の一方側に配置されて、ガイド溝１５ａに挿入されるカバー部材１１の端部１１ａをガイド溝１５ａの内壁の他方側に付勢して押し付ける薄板ばね１８が設けられている（図４（ｂ）参照）。
【００１５】
カバー部材１１は、カバー部材１１の左右両側の端部１１ａの下端を一対のガイド部１５のガイド溝１５ａの上端の開口に挿入し、ガイド溝１５ａに沿って下方に移動させることで一対のガイド部１５に装着される（図１の矢印ａ）。挿入されたカバー部材１１は、端部１１ａの下端１１ｂ（図３（ａ）参照）が下受け部１７の上部に当接する位置で停止することにより、小窓ＳＷに対して位置決めされる（図２（ｂ）参照）。すなわち、下受け部１７は、一対のガイド部１５によりガイドされたカバー部材１１を下受けして位置決めする。
【００１６】
この状態で、カバー部材１１は端部１１ａを薄板ばね１８（保持部材）によってガイド溝１５ａの内壁に押し付けられて保持される。反対に、一対のガイド部１５に位置決めされたカバー部材１１を上方に移動させることで、カバー部材１１は一対のガイド部１５から取り外される。すなわち、カバー部材１１は、一対のガイド部１５に着脱可能である。これにより、強風や飛来物の衝突によって破損したカバー部材１１の交換や、穏やかな天気で強風などから小窓ＳＷを保護する必要がない時のカバー部材１１の取り外しを容易に実行することができる。
【００１７】
図２（ａ）において、アーム部１４の長さは、一対のガイド部１５が保持するカバー部材１１が、小窓ＳＷが外壁２から最も外側（前側）の突出している位置よりも外側に位置するように設計されている。これにより、カバー部材１１が小窓ＳＷに干渉することはない。
【００１８】
このように、小窓ＳＷ（構造物）のガラス８よりも前側の位置にそれぞれ設けられ、カバー部材１１の両側の端部１１ａが挿入されてカバー部材１１を上下方向（所定方向）にガイドするためのガイド溝１５ａが形成された一対のガイド部１５と、一対のガイド部１５によりガイドされたカバー部材１１を下受けする下受け部１７は、カバー部材１１を小窓ＳＷに対して位置決めする位置決め手段を構成する。位置決め手段により、カバー部材１１は、家１（建物）を構成する外壁２（壁体）に設けられた小窓ＳＷ（構造物）のガラス８（露出面）に対向して配置される。
【００１９】
図２、図３において、カバー部材１１の下端には、下部回動部材１９が連結されて配置されている。また、カバー部材１１の上端には、上部回動部材２０が連結されて配置されている。
【００２０】
図３（ａ）は、カバー部材１１を後方（小窓ＳＷ側）から見た背面図である。図３（ｂ）は、図３（ａ）におけるＡ−Ａ断面を示している。カバー部材１１と下部回動部材１９の間には、左右に延びて左右端に達するＶ溝状の切り欠き１９ａが形成されている。また、カバー部材１１と上部回動部材２０の間には、左右に延びて左右端に達するＶ溝状の切り欠き２０ａが形成されている。
【００２１】
すなわち、本実施例では、１枚のカバー部材１１の下部と上部にそれぞれ切り欠き１９ａと切り欠き２０ａを形成することで、下部回動部材１９と上部回動部材２０が形成されている。つまり、回動部材（下部回動部材１９、上部回動部材２０）は、カバー部材１１を切り欠くことで形成されている。切り欠き１９ａと切り欠き２０ａは、カバー部材１１と回動部材とを連結する連結部である。
【００２２】
図３（ｂ）において、下部回動部材１９と上部回動部材２０（図示省略）は、前側から後側（小窓ＳＷ側）に力Ｆを受けると、連結部（切り欠き１９ａ、切り欠き２０ａ）を軸として、後側に回動する（矢印ｂ）。すなわち、保護具ＰＥは、カバー部材１１の少なくとも一端（上端、下端）と連結され、カバー部材１１に対して所定方向（小窓ＳＷ側）に回動自在な回動部材（下部回動部材１９、上部回動部材２０）を備えている。図２（ｂ）に示すように、位置決め手段（一対のガイド部１５と下受け部１７）によってカバー部材１１が位置決めされた状態において、カバー部材１１と下部回動部材１９とを連結する切り欠き１９ａ（連結部）は、下受け部１７を越えた位置（下受け部１７の下端よりも下方）にある。
【００２３】
次に図５を参照して、保護具ＰＥの機能について説明する。図５（ａ）は強風Ｂが吹いていない状態を示しており、図５（ｂ）は強風Ｂが小窓ＳＷ（構造物）や外壁２（壁体）に向かって吹き付けている状態を示している。カバー部材１１は、強風Ｂによって小窓ＳＷに加わる圧力を緩和する。これにより、強風Ｂが小窓ＳＷに向かって吹き付けている場合であっても、小窓ＳＷのガラス８（露出面）の前方に配置されたカバー部材１１によって、小窓ＳＷのガラス８などの破損を防止することができる。また、強風Ｂの圧力を受けた下部回動部材１９と上部回動部材２０が後方に回動して外壁２とカバー部材１１との間に形成されている隙間２１の一部を塞ぐことで、隙間２１から回り込む強風Ｂによる破損も防止することができる。
【００２４】
上記説明したように、本実施の形態の保護具ＰＥ（構造物の保護具）は、建物（家１）を構成する壁体（外壁２）に設けられた構造物（小窓ＳＷ）の露出面（ガラス８）に対向して配置されるカバー部材１１と、カバー部材１１の少なくとも一端と連結され、カバー部材１１に対して所定方向に回動自在な回動部材（下部回動部材１９、上部回動部材２０）と、を備えている。そして、回動部材は、外部からの作用（強風Ｂによる圧力）を受けて構造物に接近する方向に回動することで、壁体とカバー部材１１との間に形成された隙間２１の少なくとも一部を塞いでいる。これによって、簡易な構成で小さなサイズの構造物を暴風などの自然災害から保護することができる。
【００２５】
なお、上記は保護具ＰＥのカバー部材１１が一対のガイド部１５に対して上下方向に出し入れされる例で説明したが、保護具ＰＥはこれに限定されることはない。例えば、保護具ＰＥは、一対のガイド部１５を小窓ＳＷの上下の位置に配置して、カバー部材１１を一対のガイド部１５に対して左右（水平方向）に出し入れする構成であってもよい。
【００２６】
次に図６（ａ）を参照して、回動部材の第２の実施例について説明する。第２の実施例の下部回動部材２２と上部回動部材は同様の構成をしており、ここでは、下部回動部材２２を例に説明する。下部回動部材２２は、カバー部材１１の下部を切り欠いた切り欠き２２ａを有するところは、図３（ｂ）に示す下部回動部材１９と同様である。第２の実施例では、切り欠き２２ａとは反対の面に、カバー部材１１と下部回動部材２２の一部を覆い、柔軟性がある補強テープ２３が張り付けられているところが異なる。すなわち、切り欠き２２ａと補強テープ２３は、カバー部材１１と下部回動部材２２とを連結する連結部を構成する。補強テープ２３により、下部回動部材２２が繰り返し回動することによる切り欠き２２ａで発生する破断を防止することができる。
【００２７】
次に図６（ｂ）を参照して、回動部材の第３の実施例について説明する。第３の実施例の下部回動部材２４と上部回動部材は同様の構成をしており、ここでは、下部回動部材２４を例に説明する。下部回動部材２４は、カバー部材１１とは独立した板状の部材で形成されているところが図３に示す下部回動部材１９とは異なる。下部回動部材２４は、カバー部材１１の下端と所定の距離を離して位置し、柔軟性のある粘着テープ２５によって接続されている。すなわち、粘着テープ２５は、カバー部材１１と下部回動部材２４を連結する連結部を構成する。下部回動部材２４は、粘着テープ２５を軸として後方に回動する。
【００２８】
次に図７を参照して、カバー部材の第２の実施例について説明する。第２の実施例のカバー部材２６は、一対の保持部１２に装着される。カバー部材２６の下端には下部回動部材２７が連結され、上端には上部回動部材２８が連結されている。カバー部材２６は、左右両側に一対のガイド部１５のガイド溝１５ａに挿入される端部２６ａと、端部２６ａよりも前側（外壁２から離れる方向）に位置する平板状の中央部２６ｂと、端部２６ａ、下部回動部材２７、並びに上部回動部材２８と中央部２６ｂとを接続する斜面部２６ｃを備えて構成されている。すなわち、カバー部材２６は、端部２６ａの位置よりも中央部２６ｂの位置が外壁２（壁体）から離れる形状を有している。これによって、強風Ｂに対する耐久性を向上させることができる。
【００２９】
次に図８を参照して、カバー部材の第３の実施例について説明する。第３の実施例のカバー部材２９は、一対の保持部１２に装着される。カバー部材２９の下端には下部回動部材３０が連結され、上端には上部回動部材３１が連結されている。カバー部材２９は、左右両側に一対のガイド部１５のガイド溝１５ａに挿入される端部２９ａと、端部２９ａよりも前側（外壁２から離れる方向）に向かって突出し、端部２９ａ、下部回動部材３０、並びに上部回動部材３１と接続されるドーム状の中央部２９ｂを備えて構成されている。すなわち、カバー部材２９は、端部２９ａの位置よりも中央部２９ｂの位置が外壁２（壁体）から離れる形状を有している。これによって、強風Ｂに対する耐久性を向上させることができる。
【産業上の利用可能性】
【００３０】
簡易な構成で小さなサイズの構造物を暴風などの自然災害から保護することができる構造物の保護具を提供する。
【符号の説明】
【００３１】
１  家（建物）
２  外壁（壁体）
８  ガラス（露出面）
１１、２６、２９  カバー部材
１１ａ、２６ａ、２９ａ  端部
２６ｂ、２９ｂ  中央部
１５  ガイド部（位置決め手段）
１５ａ  ガイド溝
１７  下受け部（位置決め手段）
１９、２２、２４、２７、３０  下部回動部材（回動部材）
１９ａ、２０ａ、２２ａ  切り欠き（連結部）
２０、２８、３１  上部回動部材（回動部材）
２１  隙間
２３  補強テープ（連結部）
２５  粘着テープ（連結部）
ＰＥ  保護具（構造物の保護具）
ＳＷ、ＳＷ１〜ＳＷ３  小窓（構造物）
【要約】
【課題】簡易な構成で小さなサイズの構造物を暴風などの自然災害から保護することができる構造物の保護具を提供する。
【解決手段】構造物の保護具ＰＥは、建物を構成する外壁２に設けられた小窓ＳＷのガラスに対向して配置されるカバー部材１１と、カバー部材１１の少なくとも一端と連結され、カバー部材１１に対して所定方向に回動自在な回動部材（下部回動部材１９、上部回動部材２０）と、を備えている。そして、回動部材は、外部からの作用（強風Ｂによる圧力）を受けて小窓ＳＷに接近する方向に回動することで、外壁２とカバー部材１１との間に形成された隙間２１の少なくとも一部を塞ぐ。
【選択図】図５【図１】
0006924339.tif 000002
【図２】
0006924339.tif 000003
【図３】
0006924339.tif 000004
【図４】
0006924339.tif 000005
【図５】
0006924339.tif 000006
【図６】
0006924339.tif 000007
【図７】
0006924339.tif 000008
【図８】
0006924339.tif 000009